(57)【要約】【課題】  工程数を削減することができかつ必要とされる修正の容易な、外壁パネルを構造躯体に接合する外壁パネル接合構造を提供する。【解決手段】  本発明の外壁パネル接合構造は、ファスナーに設けられたファスナー仮固定手段４と、構造躯体３側に設けられたコンクリート止め兼用Ｌ字型部材１３とを備え、前記ファスナー仮固定手段４が、前記Ｌ字型部材１３の横板部１３ａを外壁パネル１の出入りを調整可能に保持する出入調整ボルト４ｅを有する保持部４ｂを備えてなることを特徴とする。【選択図】  図１
2006097276.tif 000002
【特許請求の範囲】
【請求項１】
ファスナーを用いて外壁パネルを構造躯体に接合する外壁パネル接合構造であって、
ファスナーに設けられたファスナー仮固定手段と、躯体側に設けられたコンクリート止め兼用Ｌ字型部材とを備え、
前記ファスナー仮固定手段が、前記Ｌ字型部材の横板部を外壁パネルの出入りを調整可能に保持する出入調整ボルトを有する保持部を備えてなることを特徴とする外壁パネル接合構造。
【請求項２】
ファスナーがレベル調整ボルトを備えてなることを特徴とする請求項１記載の外壁パネル接合構造。
【請求項３】
レベル調整ボルトの軸部がＬ字型部材の横板部に配設された転倒防止部材に挿通されてなることを特徴とする請求項２記載の外壁パネル接合構造。
【請求項４】
Ｌ字型部材の横板部に出入調整ボルトが挿通される長孔が設けられてなることを特徴とする請求項１記載の外壁パネル接合構造。
【請求項５】
Ｌ字型部材の水平部にレベル調整ボルトの軸部と係合する筒状突部が設けられてなることを特徴とする請求項２記載の外壁パネル接合構造。
【発明の詳細な説明】
【技術分野】
【０００１】
本発明は、外壁パネル接合構造に関する。さらに詳しくは、カーテンウォール構造の建物における外壁パネルを構造躯体に接合する外壁パネル接合構造に関する。
【背景技術】
【０００２】
一般に、カーテンウォール構造による建物では、外壁パネルの上部および下部や、上下パネルのつなぎ目を梁等の構造躯体に固定するために外壁パネル用ファスナーを使用する。これらファスナーを使用した接合構造においては、図６に示すように、鉄骨梁１０１に、外壁パネル１０２をファスナー１０３により取り付けるときに、ファスナー台座１０４、台座受１０５等の墨だしを行う。
【０００３】
このとき、パネル台座取付位置図、パネルファスナー位置図およびパネル目地位置図などの各種図面を現場で参照しながら作業を行う必要があるため、錯綜が生じることも多く、作業の円滑に進めることが困難な場合がある。また、工程数も多いために、工事時間の短縮が困難であるとともに、材料のねじれ等に起因して設計位置との間にずれが生じた場合には、台座等の取付位置を修正する必要が生じ、作業の円滑な遂行がさらに困難になるといった問題もある。
【発明の開示】
【発明が解決しようとする課題】
【０００４】
本発明はかかる従来技術の課題に鑑みなされたものであって、工程数を削減することができかつ必要とされる修正の容易な、外壁パネルを構造躯体に接合する外壁パネル接合構造を提供することを目的としている。
【課題を解決するための手段】
【０００５】
本発明の外壁パネル接合構造は、ファスナーを用いて外壁パネルを構造躯体に接合する外壁パネル接合構造であって、ファスナーに設けられたファスナー仮固定手段と、躯体側に設けられたコンクリート止め兼用Ｌ字型部材とを備え、前記ファスナー仮固定手段が、前記Ｌ字型部材の横板部を外壁パネルの出入りを調整可能に保持する出入調整ボルトを有する保持部を備えてなることを特徴とする。
【０００６】
本発明の外壁パネル接合構造においては、ファスナーがレベル調整ボルトを備えてなるのが好ましい。
【０００７】
また、本発明の外壁パネル接合構造においては、レベル調整ボルトの軸部がＬ字型部材の横板部に配設された転倒防止部材に挿通されてなるのが好ましい。
【０００８】
さらに、本発明の外壁パネル接合構造においては、Ｌ字型部材の横板部に出入調整ボルトが挿通される長孔が設けられてなるのが好ましい。
【０００９】
さらに、本発明の外壁パネル接合構造においては、Ｌ字型部材の水平部にレベル調整ボルトの軸部と係合する筒状突部が設けられてなるのが好ましい。
【発明の効果】
【００１０】
本発明によれば、工程数を削減することができかつ必要とされる修正の容易な、外壁パネルを提供できるという優れた効果が得られる。
【発明を実施するための最良の形態】
【００１１】
以下、添付図面を参照しながら本発明を実施形態に基づいて説明するが、本発明はかかる実施形態のみに限定されるものではない。
【００１２】
実施形態１
図１に、本発明の実施形態１に係る外壁パネル接合構造を一部断面図により示す。
【００１３】
接合構造Ｋは、図１に示すように、上下に並ぶ外壁パネル１、１の下端部および上端部を、ファスナー２により構造躯体としての鉄骨梁３に接合してなるものとされる。ここで、ファスナー２の鉄骨梁３への接合作業は、ファスナー仮固定手段４によりファスナー２を鉄骨梁３に仮固定しながら実施するものとされる。
【００１４】
外壁パネル１は、タイル１ａにより表面の仕上げがなされた面材１ｂと、面材１ｂの裏面に取り付けられたパネルフレーム１ｃとからなる。ここで、上下の外壁パネル１、１の面材１ｂ間の目地（横目地）は、レインバリア１ｄおよびウインドバリア１ｅにより止水、止風される。
【００１５】
ファスナー２は、上側外壁パネル１のパネルフレーム１ｃの下端部の接続金具１ｆおよび下側外壁パネル１のパネルフレーム１ｃの上端部の接続金具１ｇと接続されるパネル接続部２ａと、レベル調整ボルト１１（図２、図３参照）、転倒防止用金物１２（図２参照）およびコンクリート止め兼用L字型部材、例えばアングル（以下、単にアングルという）１３を介して鉄骨梁３と接続される躯体接続部２ｂとが一体的に形成されてなるものとされる。ここで、パネル接続部２ａは、接続用ボルト２ｃにより上側外壁パネル１が建物の内外方向に出入り可能に接続される。
【００１６】
ファスナー仮固定手段４は、図３に示すように、ファスナー２の躯体接続部２ｂに溶接により取り付けられるファスナー取付部４ａと、ファスナー２をアングル１３に外壁パネル１の出入調整自在に仮固定するようアングル１３を保持するアングル保持部４ｂとが一体的に形成されてなるものとされる。
【００１７】
ここで、アングル１３は、鉄骨梁３の上面に工場等で先付けされている。
【００１８】
また、アングル保持部４ｂは、平行な２枚の板部４ｃ、４ｄの間で出入調整ボルト４ｅのねじ込み量を調整することにより、外壁パネル１の出入を調整しながらアングル１３を挟持して保持するものとされる。
【００１９】
レベル調整ボルト１１は、ファスナー２の躯体接続部２ｂに貫設された雌ネジ孔２ｄと螺合して鉛直上下方向に進退し、軸部先端面（下端面）をアングル１３の水平部１３ｂに当接させてファスナー２をアングル１３によりレベル調整可能に支持するものとされる。
【００２０】
転倒防止用金物１２は、レベル調整ボルト１１の軸部が挿通されるボルト挿通孔１２ａを有し、このボルト挿通孔１２ａにレベル調整ボルト１１を挿通した状態で側端面がアングル１３の縦板部に接合され、これによってレベル調整ボルト１１の横すべりが防止されてレベル調整ボルト１１の転倒が防止される。このため、ボルト挿通孔１２ａの直径は、レベル調整ボルト１１の軸部に対して０．５mm程度のクリアランスを有するように調整される。
【００２１】
以下、かかる構成とされた外壁パネル接合構造Kの施工手順を説明する。
【００２２】
手順１：ファスナー２を下側外壁パネル１に先付けし、その状態で下側外壁パネル１を所定位置に設置する。このとき下側外壁パネル１は、図示しないクレーンや適宜手段により上方の構造躯体により吊支されている。
【００２３】
手順２：ファスナー仮固定手段４によりファスナー２をアングル１３に仮固定する。
【００２４】
手順３：レベル調整ボルト１１により下側外壁パネル１のレベルを調整し、出入調整ボルト４ｅにより下側外壁パネル１の出入りを調整しながら、下側外壁パネル１を所定位置にセットする。
【００２５】
手順４：前記手順３の調整が終了した時点に、レベル調整ボルト１１、転倒防止用金物１２およびアングル１３を相互に溶接固定する。
【００２６】
手順５：ファスナー仮固定手段４をファスナー２から取り外し、再利用する。
【００２７】
手順６：図１のレベルＬ１までスラブコンクリートを打設し、これによって全ての部材を完全に固定する。
【００２８】
以下、同様にして上側外壁パネル１をセットした後、接続金具１ｆをファスナー２に接合する。
【００２９】
このように、実施形態１の接合構造Ｋにおいては、ファスナー仮固定手段４によりアングル１３にファスナー２を仮固定しながら、レベル調整ボルト１１、転倒防止用金物１２を用いて下側外壁パネル１の位置およびレベルを調整し、全ての調整が終了した時点に溶接およびコンクリートによりファスナー２をアングル１３、つまり鉄骨梁３に固定するものとされる。したがって、ファスナー台座、台座受け等を用いることなくファスナー２による下側外壁パネル１の鉄骨梁３への接合が可能となる。
【００３０】
このため、各種設計図面を参照してファスナー台座、台座受けの墨だしを行う必要がなくなり、工程数が削減されて工期短縮が可能になるとともに、下側外壁パネル１の位置およびレベル調整が必要な場合にも比較的自由に修正を行うことができ、作業の効率化を図ることができる。
【００３１】
実施形態２
本発明の実施形態２の接合構造の要部を図４に示す。実施形態２は、実施形態１を改変したものであり、アングルとして、ファスナー仮固定手段４の出入調整ボルト４ｅ先端が係合する係合長孔２１を横板部１３ａに有するアングル１３Ａを用いてなるものとされる。これにより、ファスナー仮固定手段４によりファスナー２を仮固定する際の固定度を横方向の位置調整の自由度を担保しながら上げることができる。
【００３２】
なお、前記手順５では、各部材を溶接固定した後、ファスナー仮固定手段４をファスナー２から取り外すものとしたが、この場合には、ファスナー仮固定手段４をファスナー２に取り付けたままスラブコンクリートに埋め殺しにするものとしてもよい。これによって、ファスナー２からの荷重をより強固に支えることができる。
【００３３】
実施形態３
本発明の実施形態３の接合構造の要部を図５に示す。実施形態３の接合構造は、実施形態１を改変したものであり、アングルとして、レベル調整ボルト１１の軸部と係合する筒状突部２２を水平部１３ｂに有するアングル１３Ｂを用いてなるものとされる。これにより、ファスナー２とアングル１３Ｂとの位置関係をより適切に保持することが可能となる。
【産業上の利用可能性】
【００３４】
本発明は、ファスナーを用いて躯体に接合される各種外壁パネルに適用できる。
【図面の簡単な説明】
【００３５】
【図１】本発明の実施形態１に係る外壁パネル接合構造の概略構成を示す一部断面図である。
【図２】図１と同様の図であり、断面の切断位置を変えた図である。
【図３】同接合構造の斜視図である。
【図４】実施形態２の外壁パネル接合構造の要部斜視図である。
【図５】実施形態３の外壁パネル接合構造の要部斜視図である。
【図６】従来の外壁パネル接合構造の一例を示す斜視図である。
【符号の説明】
【００３６】
Ｋ      接合構造
１      外壁パネル
２      ファスナー
３      鉄骨梁
４      ファスナー仮固定手段
４ｅ    出入調整ボルト
１１      レベル調整用ボルト
１２      転倒防止用金物
【図１】
2006097276.tif 000003
【図２】
2006097276.tif 000004
【図３】
2006097276.tif 000005
【図４】
2006097276.tif 000006
【図５】
2006097276.tif 000007
【図６】
2006097276.tif 000008